(57)【特許請求の範囲】
【請求項１】
画像信号を記憶する記憶手段と、
前記記憶手段への前記画像信号の記憶に際し、ディレクトリを作成し、前記ディレクトリ内に前記画像信号をファイルとして記憶させる記憶制御手段と、
前記記憶手段に記憶された前記ファイルを読み出すファイル読み出し手段と、
前記ファイルの画像信号を画像として再生する表示手段と、を有するデジタルスチルカメラであって、
前記記憶制御手段は、メーカー毎に前記ディレクトリを作成してアルファベット順に並べ、
前記表示手段は、前記記憶制御手段により作成されたディレクトリの順序に応じて、該ディレクトリ内の各ファイルの画像信号に基づく画像を表示することを特徴とするデジタルスチルカメラ。
【請求項２】
画像信号を記憶する記憶手段と、
前記記憶手段への前記画像信号の記憶に際し、ディレクトリを作成し、前記ディレクトリ内に前記画像信号をファイルとして記憶させる記憶制御手段と、
前記記憶手段に記憶された前記ファイルを読み出すファイル読み出し手段と、
前記ファイルの画像信号を画像として再生する表示手段と、を有するデジタルスチルカメラであって、
前記記憶制御手段は、メーカー毎に前記ディレクトリを作成し、特定メーカーのディレクトリを先に並べ、
前記表示手段は、前記記憶制御手段により作成されたディレクトリの順序に応じて、該ディレクトリ内の各ファイルの画像信号に基づく画像を表示することを特徴とするデジタルスチルカメラ。
【請求項３】
画像信号を記憶する記憶手段と、
前記記憶手段への前記画像信号の記憶に際し、ディレクトリを作成し、前記ディレクトリ内に前記画像信号をファイルとして記憶させる記憶制御手段と、
前記記憶手段に記憶された前記ファイルを読み出すファイル読み出し手段と、
前記画像信号の転送を行う転送手段と、を有するデジタルスチルカメラであって、
前記記憶制御手段は、メーカー毎に前記ディレクトリを作成してアルファベット順に並べ、
前記転送手段は、前記記憶制御手段により作成されたディレクトリの順序に応じて、該ディレクトリ内の各ファイルの画像信号を転送することを特徴とするデジタルスチルカメラ。
【請求項４】
画像信号を記憶する記憶手段と、
前記記憶手段への前記画像信号の記憶に際し、ディレクトリを作成し、前記ディレクトリ内に前記画像信号をファイルとして記憶させる記憶制御手段と、
前記記憶手段に記憶された前記ファイルを読み出すファイル読み出し手段と、
前記画像信号の転送を行う転送手段と、を有するデジタルスチルカメラであって、
前記記憶制御手段は、メーカー毎に前記ディレクトリを作成し、特定メーカーのディレクトリを先に並べ、
前記転送手段は、前記記憶制御手段により作成されたディレクトリの順序に応じて、該ディレクトリ内の各ファイルの画像信号を転送することを特徴とするデジタルスチルカメラ。
【発明の詳細な説明】
【０００１】
【発明の属する技術分野】
本発明は、画像データの再生／転送技術に関し、特にデジタルスチルカメラにおける画像データの再生／転送技術に関する。
【０００２】
【従来の技術】
電子技術の向上に伴い、撮像した画像をデジタルデータに変換して記憶するデジタルスチルカメラが開発され、既に市販されている。ユーザーは、デジタルスチルカメラにより撮像した画像を、たとえば自分のパソコンのディスプレイに表示でき、またプリンタを介してプリントできるため、その応用範囲は広いものとなっている。
【０００３】
デジタルスチルカメラで撮像することによって得られた画像データは、画像毎に一つのファイルとしてメモリカード等の記録媒体に格納されるようになっている。このような記録媒体は、デジタルスチルカメラに対して出し入れ可能となっており、他のパソコンやデジタルスチルカメラ等にアクセスさせることによって、記録した画像データを任意に読み出して、画像としてディスプレイ等に表示させることができるようになっている。
【０００４】
【発明が解決しようとする課題】
ところで記憶媒体は、異なる機種のデジタルスチルカメラ間で共通に使用できる場合があることから、異なるデジタルスチルカメラによる画像が同一記録媒体中にファイルされることがある。一方、たとえばスキャナ等から読み込んだ画像を、パソコンを介して同じ記録媒体にファイルする場合もある。
【０００５】
かかる場合、同一記録媒体中に複数の入力手段について、それぞれ別のディレクトリ構造として、このディレクトリ内に各画像をファイルすることが考えられる。しかしながら、このような記録媒体をデジタルスチルカメラに装着して、記録された画像を再生しようとするときに、いかなる順序で再生するか問題がある。また、同様な問題は、記録された画像を転送するような場合にも生じる。このような画像の再生／転送を行う場合、ディレクトリを考慮せず各ファイルの画像入力年月日順に行うということも考えられるが、そのような順序は必ずしもユーザの嗜好に合致しない恐れがある。
【０００６】
本発明は、かかる従来技術の問題点に鑑み、適切な順序で画像を再生／転送できるデジタルスチルカメラを提供することを目的とする。
【０００７】
【課題を解決するための手段】
上述の目的を達成すべく、本発明のデジタルスチルカメラは、
画像信号を記憶する記憶手段と、
前記記憶手段への前記画像信号の記憶に際し、ディレクトリを作成し、前記ディレクトリ内に前記画像信号をファイルとして記憶させる記憶制御手段と、
前記記憶手段に記憶された前記ファイルを読み出すファイル読み出し手段と、
前記ファイルの画像信号を画像として再生する表示手段と、を有するデジタルスチルカメラであって、
前記記憶制御手段は、メーカー毎に前記ディレクトリを作成してアルファベット順に並べ、
前記表示手段は、前記記憶制御手段により作成されたディレクトリの順序に応じて、該ディレクトリ内の各ファイルの画像信号に基づく画像を表示することを特徴とする。または、前記記憶制御手段は、メーカー毎に前記ディレクトリを作成し、特定メーカーのディレクトリを先に並べ、前記表示手段は、前記記憶制御手段により作成されたディレクトリの順序に応じて、該ディレクトリ内の各ファイルの画像信号に基づく画像を表示することを特徴とする。
【０００８】
本発明のデジタルスチルカメラは、
画像信号を記憶する記憶手段と、
前記記憶手段への前記画像信号の記憶に際し、ディレクトリを作成し、前記ディレクトリ内に前記画像信号をファイルとして記憶させる記憶制御手段と、
前記記憶手段に記憶された前記ファイルを読み出すファイル読み出し手段と、
前記画像信号の転送を行う転送手段とを有するデジタルスチルカメラであって、
前記記憶制御手段は、メーカー毎に前記ディレクトリを作成してアルファベット順に並べ、
前記転送手段は、前記記憶制御手段により作成されたディレクトリの順序に応じて、該ディレクトリ内の各ファイルの画像信号を転送することを特徴とする。または、前記記憶制御手段は、メーカー毎に前記ディレクトリを作成し、特定メーカーのディレクトリを先に並べ、前記転送手段は、前記記憶制御手段により作成されたディレクトリの順序に応じて、該ディレクトリ内の各ファイルの画像信号を転送することを特徴とする。
【０００９】
【作用】
本発明のデジタルスチルカメラによれば、画像信号を記憶する記憶手段と、前記記憶手段への前記画像信号の記憶に際し、ディレクトリを作成し、前記ディレクトリ内に前記画像信号をファイルとして記憶させる記憶制御手段と、前記記憶手段に記憶された前記ファイルを読み出すファイル読み出し手段と、前記ファイルの画像信号を画像として再生する表示手段とを有し、前記記憶制御手段は、メーカー毎に前記ディレクトリを作成してアルファベット順に並べるか、或いは、特定メーカーのディレクトリを先に並べ、前記表示手段は、前記記憶制御手段により作成されたディレクトリの順序に応じて、該ディレクトリ内の各ファイルの画像信号に基づく画像を表示するので、かかる順序に基づき最適な態様で画像を再生でき、それによりユーザーフレンドリーなデジタルスチルカメラを供することが可能となる。
【００１０】
本発明のデジタルカメラによれば、画像信号を記憶する記憶手段と、前記記憶手段への前記画像信号の記憶に際し、ディレクトリを作成し、前記ディレクトリ内に前記画像信号をファイルとして記憶させる記憶制御手段と、前記記憶手段に記憶された前記ファイルを読み出すファイル読み出し手段と、前記画像信号の転送を行う転送手段とを有し、前記記憶制御手段は、メーカー毎に前記ディレクトリを作成してアルファベット順に並べるか、或いは、特定メーカーのディレクトリを先に並べ、前記転送手段は、前記記憶制御手段により作成されたディレクトリの順序に応じて、該ディレクトリ内の各ファイルの画像信号を転送するので、かかる順序に基づき最適な態様で画像を転送でき、それによりユーザーフレンドリーなデジタルスチルカメラを供することが可能となる。
【００１１】
【発明の実施の形態】
以下、本発明による実施の形態を、図面を参照して説明する。
図１は、本実施の形態にかかるデジタルスチルカメラの構成を示すブロック図である。図１において、撮影レンズ１により受光面に光学像を結像された、撮像手段としての光電変換手段２は、被写体の光学像を対応する電荷量に変換する、いわゆる光電変換を行うものであり、Ａ／Ｄ変換装置３は、光電変換手段２から入力されたアナログ信号をディジタル信号に変換して出力するものである。かかるＡ／Ｄ変換回路３を介して得られた画像データは、一旦、画像用メモリ４に記憶される。
【００１２】
画像用メモリ４に記憶された画像データは、ＭＰＵ５によって各種の画像処理が施され、最終的には画像毎に一つのファイルとして作成され、ＭＰＵ５に接続された主メモリ６に記憶される。尚、ＭＰＵ５は、内蔵電池等の電源７から電力供給を受け、インタフェース手段８（２３２Ｃシリアルポート、ＵＳＢ、ＩｒＤＡ通信装置等）を介して、外部のデジタルスチルカメラ１０やパソコン等に対し、主メモリ６に格納されたファイルを転送でき、また受信することもできるようになっている。また、インタフェース手段８は、デジタルスチルカメラに装着された記憶媒体であるメモリカードＭＣに記憶されたファイルを読み込んで、ＭＰＵ５を介して、主メモリ６に送信できるようになっている。
【００１３】
図２は、従来技術によるメモリカードＭＣ内に記録された画像にかかるファイルの例を示す図である。図２に示されているように、記憶手段としてのメモリカードＭＣ内には、複数のメーカーの異なるデジタルスチルカメラにより撮像された画像にかかるファイルや、スキャナ等により読み込まれた画像にかかるファイルが、撮影や画像読み込みの入力年月日順に記録されるようになっている。
【００１４】
このようにファイルが混在したメモリカードＭＣから、特定の画像を選択しようとするユーザーは、いつ頃画像を撮影したのか自己の記憶をたどりながら、その前後のファイルを探索することが多い。しかるに、ユーザーの記憶自体が曖昧である場合も多く、特定の画像を発見するまでに相当時間がかかることもある。また、特定のデジタルスチルカメラ（たとえば高画素数のもの）により撮影した画像だけを再生したい場合もある。これに対し、本実施の形態によれば、以下のようにして特定の画像を効率よく探索できる。尚、メモリカードＭＣのファイル中のデータには、画像データと共に、図２のかっこ内に示すようなメーカー名やカメラ等の機種名が書き込まれるようになっている。
【００１５】
かかるメモリカードＭＣに対して、インタフェース手段８を介してアクセスした場合、ファイル読み出し手段及び順序設定を行う記憶制御手段としてのＭＰＵ５は、まずメーカー名やカメラ等の機種名を読み取って、それに応じたディレクトリ構造を主メモリ６内の記憶領域に作成する。より具体的には、ルートディレクトリの下に、カメラ又はスキャナのメーカー毎にディレクトリを作成する。この場合、ディレクトリ名としては、カメラ又はスキャナのメーカー名を直接用いるか、簡略した符号を用いることができる。ディレクトリの順序は、たとえばディレクトリ名のアルファベット順にしても良く、あるいは特定メーカーのディレクトリを先に並べることも可能である。尚、スキャナ等により読み込まれた画像は、デジタルスチルカメラで再生されることが少ないので、そのディレクトリは最も後に配置することが好ましい。
【００１６】
更に、ＭＰＵ５は、同一メーカーの異なる機種毎にディレクトリを作成する。かかるディレクトリ名としては、カメラ又はスキャナの機種名を直接用いるか、簡略した符号を用いることができる。その後、各ディレクトリ内に、対応するメーカー及び機種により入力した画像にかかるファイル名を、入力年月日順に記録するようになっている。更に、ディレクトリの順序は、たとえばカメラ名のアルファベット順にしても良く、あるいは画素数の多い順に並べることも可能である。尚、このようにしてディレクトリ構造が形成された後、新たな撮影を行えば、ＭＰＵ５は、かかる撮影によって得られた画像を、そのメーカー及び機種に対応するディレクトリ内に記録することができる。
【００１７】
このようにして形成したディレクトリ構造を、図３に示す。かかるディレクトリ構造は、表示手段９によって表示することができる。ユーザーが不図示の画像コマ送りボタンを押すことにより、ＭＰＵ５は、図３に示すディレクトリ構造に従い、上からファイル名（たとえばＩＭＧ０５．ＪＰＧ）から順次画像を再生できるようになっている。このようにして主メモリ６内に作成されたディレクトリ構造は、メモリカードＭＣ内のデータと置換することができ、それによりそのメモリカードＭＣにアクセスしたパソコン等において、かかるディレクトリ構造を利用して、ファイルの探索が可能となる。尚、何らデータが記録されていないメモリカードＭＣにアクセスした場合、ここに直接ディレクトリを形成しても良い。
【００１８】
このように、本実施の形態においては、ディレクトリ構造が形成されていないメモリカードＭＣにアクセスしたＭＰＵ５が、まずカメラや機種毎にディレクトリ構造を作成するようになっているので、かかるディレクトリ構造に基づき、ユーザーは、たとえば特定のメーカーのカメラで撮影した画像とか、同一メーカーでも特定機種のカメラで撮影した画像等を効率よく探索できることとなる。
【００１９】
図４は、表示手段９の液晶ディスプレイにより再生される画像Ｇの例を示した図である。図４に示すように、画像の上部には、上層のディレクトリ名「ＡＡ」と、それより下層のディレクトリ名「ＤＣ１０」が、画像ファイル名「ＩＭＧ０５．ＪＰＧ」と共に表示されている。上述したように、上層のディレクトリ名はカメラ等のメーカー名（たとえばＡＡ社）を特定し、下層のディレクトリ名はカメラ等の機種名（たとえばＤＣ１０カメラ）を特定するようになっているので、かかる表示を見たユーザーは、再生された画像がＡＡ社のＤＣ１０カメラにより撮影されたものであることが直ちにわかるようになっている。
【００２０】
また、表示手段９の液晶ディスプレイがタッチパネル式の入力手段である場合には、ユーザーがかかる入力手段もしくは他の入力手段を用いて、図４に示されたディレクトリ名（たとえばＤＣ１０）を指定すると、ディレクトリＤＣ１０内に記録された画像ファイル名が全て表示されるようになっている。更に、ユーザーが特定の画像ファイル名を同じ入力手段を用いて指定することにより、対応する画像が液晶ディスプレイ上に表示されるようになっている。
【００２１】
更に、ＭＰＵ５は、転送手段としてのインタフェース手段８を介して、図３に示すディレクトリ構造において上から順に、たとえば外部のデジタルスチルカメラ１０や不図示のプリンタ等に転送することもできるようになっている。尚、たとえばペン書き入力可能な液晶ディスプレイ等の入力手段を用いて画像の優先順位を決定することにより、ユーザーが上記ディレクトリ構造に関わらず、任意に再生又は転送する画像の順序を設定できるようにしても良い。
【００２２】
以上、本発明を実施の形態を参照して説明してきたが、本発明は上記実施の形態に限定して解釈されるべきではなく、適宜変更・改良が可能であることはもちろんである。
【００２３】
【発明の効果】
本発明のデジタルスチルカメラによれば、画像信号を記憶する記憶手段と、前記記憶手段への前記画像信号の記憶に際し、ディレクトリを作成し、前記ディレクトリ内に前記画像信号をファイルとして記憶させる記憶制御手段と、前記記憶手段に記憶された前記ファイルを読み出すファイル読み出し手段と、前記ファイルの画像信号を画像として再生する表示手段とを有し、前記記憶制御手段は、メーカー毎に前記ディレクトリを作成してアルファベット順に並べるか、或いは、特定メーカーのディレクトリを先に並べ、前記表示手段は、前記記憶制御手段により作成されたディレクトリの順序に応じて、該ディレクトリ内の各ファイルの画像信号に基づく画像を表示するので、かかる順序に基づき最適な態様で画像を再生でき、それによりユーザーフレンドリーなデジタルスチルカメラを供することが可能となる。
【００２４】
本発明のデジタルカメラによれば、画像信号を記憶する記憶手段と、前記記憶手段への前記画像信号の記憶に際し、ディレクトリを作成し、前記ディレクトリ内に前記画像信号をファイルとして記憶させる記憶制御手段と、前記記憶手段に記憶された前記ファイルを読み出すファイル読み出し手段と、前記画像信号の転送を行う転送手段とを有し、前記記憶制御手段は、メーカー毎に前記ディレクトリを作成してアルファベット順に並べるか、或いは、特定メーカーのディレクトリを先に並べ、前記転送手段は、前記記憶制御手段により作成されたディレクトリの順序に応じて、該ディレクトリ内の各ファイルの画像信号を転送するので、かかる順序に基づき最適な態様で画像を転送でき、それによりユーザーフレンドリーなデジタルスチルカメラを供することが可能となる。
【図面の簡単な説明】
【図１】本実施の形態にかかるデジタルスチルカメラの構成を示すブロック図である。
【図２】従来技術によるメモリカードＭＣ内に記録された画像にかかるファイルを示す図である。
【図３】本実施の形態に基づき形成されたディレクトリ構造を示す図である。
【図４】表示手段９の液晶ディスプレイにより再生される画像Ｇの例を示した図である。
【符号の説明】
１    撮影レンズ
２    光電変換手段
３    Ａ／Ｄ変換装置
４    画像用メモリ
５    ＭＰＵ
６    主メモリ
７    電源
８    インタフェース装置
９    表示手段
１０    外部のデジタルスチルカメラ
ＭＣ    メモリカード
【図１】
0003724220.tif 000002
【図２】
0003724220.tif 000003
【図３】
0003724220.tif 000004
【図４】
0003724220.tif 000005